(57)【要約】【課題】系列局サーチを適切に行うことができる移動体用受信装置および系列局サーチ開始タイミング判定方法を提供する。【解決手段】放送の受信状態が許容条件を満たさなくなった場合においても、地図情報、地図情報に含まれる受信エリアを示す情報および移動体の位置情報に基づいて、移動体が受信放送の受信エリア内にあると判定された場合には、系列局のサーチを開始しないよう制御する制御部５ａを備える。【選択図】図５
2014183457.tif 000002
【特許請求の範囲】
【請求項１】
移動体に搭載されて、放送の受信状態が許容条件を満たさなくなった場合に受信放送の系列局のサーチを行う移動体用受信装置において、
前記放送の受信状態が許容条件を満たさなくなった場合においても、地図情報、前記地図情報に含まれる受信エリアを示す情報、および前記移動体の位置情報に基づいて、前記移動体が前記受信放送の受信エリア内にあると判定された場合には、前記系列局のサーチを開始しないよう制御する制御部を備えたことを特徴とする移動体用受信装置。
【請求項２】
前記制御部は、前記放送の受信状態が許容条件を満たさなくなった場合、地図情報、前記地図情報に含まれる受信エリアを示す情報、および前記移動体の位置情報に基づいて、前記移動体が前記受信放送の受信エリアから異なる放送局の受信エリアへ移動していると判定された場合、前記移動体が前記異なる放送局の受信エリアに移動した時点で前記系列局のサーチを開始するよう制御することを特徴とする請求項１記載の移動体用受信装置。
【請求項３】
前記制御部は、前記放送の受信状態が許容条件を満たさなくなった場合、地図情報、前記地図情報に含まれる受信エリアを示す情報、前記移動体の位置情報、および前記移動体内の照度情報に基づいて、前記移動体が前記受信放送の受信エリア内であり、かつ前記移動体内の照度が閾値以下である場合には、前記系列局のサーチを開始しないよう制御することを特徴とする請求項１または請求項２記載の移動体用受信装置。
【請求項４】
前記制御部は、前記放送の受信状態が許容条件を満たさなくなった場合、前記移動体が前記受信放送の受信エリアから異なる放送局の受信エリアへ移動しているか、もしくは、前記移動体が前記受信放送の受信エリアから異なる放送局の受信エリアへ移動しており、かつ時刻が夜間である場合には、前記移動体が前記異なる放送局の受信エリアに移動した時点で前記系列局のサーチを開始するよう制御することを特徴とする請求項３記載の移動体用受信装置。
【請求項５】
移動体用受信装置が、受信中の放送の系列局サーチの開始タイミングを判定する系列局サーチ開始タイミング判定方法において、
前記移動体用受信装置の制御部が、前記放送の受信状態が許容条件を満たすか否かを判定するステップと、
前記制御部が、前記放送の受信状態が許容条件を満たさなくなった場合、地図情報、前記地図情報に含まれる受信エリアを示す情報、および前記移動体の位置情報に基づいて、前記移動体が前記受信放送の受信エリア内であるか否かを判定するステップと、
前記制御部が、前記移動体が前記受信放送の受信エリア内にあると判定された場合は、前記系列局のサーチを開始しないよう制御するステップとを備えたことを特徴とする系列局サーチ開始タイミング判定方法。
【発明の詳細な説明】
【技術分野】
【０００１】
この発明は、移動体の移動に伴って系列局をサーチする移動体用受信装置および系列局サーチ開始タイミング判定方法に関する。
【背景技術】
【０００２】
従来の移動体用受信装置における受信率の低下の原因を判断する技術として、例えば、特許文献１に開示される放送圏外検出方法がある。この方法では、受信装置が搭載された移動体の移動によって受信装置が放送波発信装置から離れる移動速度を検出し、放送波の受信レベルが視聴可能な下限レベルを下回った場合に、検出した上記移動速度を用いて、放送圏の変化による放送圏外であるのか、スポット的な放送圏外であるのかを判定する。ここで、移動速度に応じて予想される受信率の低下度合いと実際の受信率の低下度合いとを比較して、実際の受信率の低下が予想される受信率の低下度合いよりも大きい場合に、スポット的な放送圏外であるとされる。
【先行技術文献】
【特許文献】
【０００３】
【特許文献１】特開２０１０−２１３０７２号公報
【発明の概要】
【発明が解決しようとする課題】
【０００４】
特許文献１に代表される従来の技術では、互いに異なる放送波発信装置による隣接した受信エリアを跨ぐトンネルまたは遮蔽環境を移動する場合であっても、スポット的な放送圏外、すなわち一時的な受信率の低下として判断される。このため、移動先の受信エリアにおける系列局のサーチが開始されず、すでに受信不可能な移動元の局が必要以上に保持され、移動先の受信エリアにおける適切な系列局サーチの開始タイミングを逃してしまうという課題があった。この場合、受信エリアを跨ぐトンネルまたは遮蔽環境を移動した後に、移動先の受信エリアにおける系列局のサーチが開始されるため、その間は放送の受信ができない。
【０００５】
この発明は、上記のような課題を解決するためになされたもので、系列局サーチを適切に行うことができる移動体用受信装置および系列局サーチ開始タイミング判定方法を得ることを目的とする。
【課題を解決するための手段】
【０００６】
この発明に係る移動体用受信装置は、移動体に搭載されて、放送の受信状態が許容条件を満たさなくなった場合に受信放送の系列局のサーチを行う移動体用受信装置において、放送の受信状態が許容条件を満たさなくなった場合においても、地図情報、地図情報に含まれる受信エリアを示す情報、および移動体の位置情報に基づいて、移動体が受信放送の受信エリア内にあると判定された場合には、系列局のサーチを開始しないよう制御する制御部を備えたことを特徴とする。
【発明の効果】
【０００７】
この発明によれば、系列局サーチを適切に行うことができるという効果がある。
【図面の簡単な説明】
【０００８】
【図１】従来の移動体用受信装置の構成を示すブロック図である。
【図２】従来の系列局サーチの開始タイミングの判定方法を示すフローチャートである。
【図３】従来の系列局サーチの開始タイミングの判定の問題点を示す図である。
【図４】車両が受信エリアを跨ぐ際の系列局サーチ開始タイミング判定を示す図である。
【図５】この発明の実施の形態１に係る移動体用受信装置の構成を示すブロック図である。
【図６】実施の形態１に係る系列局サーチ開始タイミング判定方法を示すフローチャートである。
【図７】車両が受信エリアを跨ぐ際の実施の形態１に係る系列局サーチ開始タイミング判定を示す図である。
【図８】この発明の実施の形態２に係る移動体用受信装置の構成を示すブロック図である。
【図９】実施の形態２に係る系列局サーチ開始タイミング判定方法を示すフローチャートである。
【発明を実施するための形態】
【０００９】
実施の形態１．
まず、従来の系列局サーチ開始タイミングの判定における問題点について説明する。
図１は、従来の移動体用受信装置の構成を示すブロック図である。図１に示す受信装置は、アンテナ１００、チューナ１０１、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）デコーダ１０２、ＭＰＥＧ（Ｍｏｖｉｎｇ  Ｐｉｃｔｕｒｅ  Ｅｘｐｅｒｔｓ  Ｇｒｏｕｐ）デコーダ１０３、ＣＰＵ１０４、映像回路１０５、映像表示部１０６、音声回路１０７およびスピーカ１０８を備えて構成される。
【００１０】
アンテナ１００で受信された地上波デジタルテレビ放送波は、チューナ１０１によって中間周波数（ＩＦ）信号に周波数変換される。ＩＦ信号は、ＯＦＤＭデコーダ１０２によってＯＦＤＭデコードされ、ＭＰＥＧデコーダ１０３によってＭＰＥＧデコードされ、映像信号と音声信号に分けられる。映像信号は、映像回路１０５によって増幅されてから、映像表示部１０６によって表示される。音声信号は、音声回路１０７によって増幅されて出力信号に変換されてから、スピーカ１０８で音声出力される。また、ＣＰＵ１０４は、チューナ１０１、ＯＦＤＭデコーダ１０２、およびＭＰＥＧデコーダ１０３の動作を制御する。
【００１１】
従来の系列局サーチ開始タイミングの判定について説明する。
図２は従来の系列局サーチの開始タイミングの判定方法を示すフローチャートである。
まず、入力部を用いてユーザから放送局の周波数が設定されると、チューナ１０１は、アンテナ１００で受信された地上波デジタルテレビ放送波のうち、ユーザから設定された周波数の信号を選局する（ステップＳＴ１００）。チューナ１０１は、アンテナ１００によって受信されたデジタル放送波信号をＩＦ信号に周波数変換する。ＩＦ信号は、ＯＦＤＭデコーダ１０２によってＯＦＤＭデコードされ、ＭＰＥＧデコーダ１０３によってＭＰＥＧデコードされる。
【００１２】
このとき、ＭＰＥＧデコーダ１０３は、選局されたデジタル放送波信号の受信率を監視する（ステップＳＴ１０１）。ここで、受信率とは、例えば、デジタルテレビ放送を支障なく視聴可能な程度を示す数値であり、該当地域でデジタルテレビ放送を受信した際に、全体の時間に対して、映像、音声が途切れないでいる時間を示す割合などが挙げられる。
【００１３】
受信率が所定の閾値を超えている場合（ステップＳＴ１０２；ＮＯ）、ＭＰＥＧデコーダ１０３は、ステップＳＴ１０２に戻って上記判定を繰り返す。
一方、受信率が上記閾値以下となった場合（ステップＳＴ１０２；ＹＥＳ）、ＭＰＥＧデコーダ１０３は、受信率が上記閾値以下となった期間が一定期間継続したか否かを判定する（ステップＳＴ１０３）。このとき、一定期間経過する前に受信率が回復した場合（ステップＳＴ１０３；ＮＯ）、ステップＳＴ１０２に戻って上記判定を繰り返す。
【００１４】
受信率が上記閾値以下となった期間が一定期間継続した場合（ステップＳＴ１０３；ＹＥＳ）、ＭＰＥＧデコーダ１０３は、その旨をＣＰＵ１０４の制御部１０４ａに通知する。制御部１０４ａは、ＭＰＥＧデコーダ１０３から上記通知を受けると、この受信装置を搭載する移動体が現在受信中の放送の受信エリア外に移動したものと判断し、受信放送の系列局サーチを開始するよう、チューナ１０１を制御する。これにより、系列局サーチが自動的に開始される（ステップＳＴ１０４）。
このようにすることで、受信エリアを越えた移動を行った場合にも、引き続き視聴することが可能というメリットがあった。
【００１５】
しかしながら、従来の移動体用受信装置は、現在受信中の放送の受信エリア内であるか否かを、受信率が上記閾値以下となる期間が一定以上続いたか否かで判断しているため、移動体が受信エリア内にあっても長いトンネルや地下駐車場に入って上記条件を満たした場合、自動的に系列局サーチを開始してしまう。この場合、系列局も受信できないため、しばらくの間、系列局サーチが繰り返される。これにより、移動体がトンネルや地下駐車場から出ても、系列局サーチが完了しておらず、放送の受信に移行できないため、放送の視聴ができない。
【００１６】
例えば、図３に示す期間（１）で、従来の移動体用受信装置が、放送局Ａからの放送波を受信している。このとき、放送局Ａからの放送の受信率は高く、放送内容が視聴可能である。この後、移動体が移動して、期間（２）で図４に示すトンネルＴＡに入った場合、受信率が上記閾値以下となり、この状態が一定時間継続する。これにより、系列局サーチが自動的に開始される。しかし、トンネルＴＡでは、放送局Ａの受信エリア内であっても放送波が遮られて受信環境が悪いため、系列局サーチが繰り返され、期間（１）で受信していた放送の系列局をサーチできない。
期間（３）は移動体がトンネルＴＡを出た直後の期間であるが、本来ならば、放送局Ａからの放送を直ちに受信可能であるところ、トンネルＴＡ内で開始された系列局サーチが継続しているために、放送局Ａからの放送を受信できない。この受信不可状態は、系列局サーチが完了する期間（４）まで継続する。
【００１７】
また、特許文献１のように、受信率の低下のみを判断するだけでなく、移動体の移動によって受信装置が放送局から離れる移動速度を検出し、放送波の受信レベルが視聴可能な下限レベルを下回った場合に、検出した移動速度を用いて放送圏の変化による放送圏外であるのか、スポット的な放送圏外であるのかを判定することも考えられる。
しかしながら、図４に示すように、移動体が、例えば放送局Ａ，Ｂの受信エリアを跨ぐトンネルＴＢを移動している場合には、上述の方法であっても、スポット的な放送圏外、すなわち、一時的な受信率の低下として判断される。このため、移動先の放送局Ｂの受信エリアで系列局サーチが直ちに開始されず、その分放送局Ｂからの放送の受信が遅れる。
【００１８】
そこで、この発明に係る移動体用受信装置では、地図情報に放送局の受信エリアを示す情報が含まれていることに着目して、放送の受信状態が許容条件を満たさなくなった場合においても、地図情報、地図情報に含まれる受信エリアを示す情報、および移動体の位置情報に基づいて、移動体が受信放送の受信エリア内にあると判定された場合には、系列局のサーチを開始しないよう制御する。このようにすることで、受信率が低下して放送受信状態が許容条件を満たさなくなった場合であっても、この放送の受信エリア内に移動体がある場合は、トンネルＴＡのような一時的に受信環境が悪化する場所に移動体が存在するものとして系列局サーチを開始しない。また、移動体が受信放送の受信エリアから異なる放送局の受信エリアへ移動していると判定される場合には、異なる受信エリアに移動した時点で直ちに系列局のサーチを開始する。これにより、系列局サーチを適切に行うことができる。
【００１９】
図５は、この発明の実施の形態１に係る移動体用受信装置の構成を示すブロック図であり、車両などの移動体に搭載されて、地上波デジタルテレビ放送波を受信する受信装置を示している。図５に示すように、実施の形態１に係る移動体用受信装置は、アンテナ１、チューナ２、ＯＦＤＭデコーダ３、ＭＰＥＧデコーダ４、ＣＰＵ５、映像回路６、映像表示部７、音声回路８、スピーカ９、ＧＰＳ受信機１０および地図情報データベース（以下、ＤＢと記載する）１１を備えて構成される。
【００２０】
アンテナ１で受信された地上波デジタルテレビ放送波は、チューナ２によってＩＦ信号に周波数変換される。ＩＦ信号は、ＯＦＤＭデコーダ３によってＯＦＤＭデコードされ、ＭＰＥＧデコーダ４によってＭＰＥＧデコードされ、映像信号と音声信号に分けられる。映像信号は、映像回路６によって増幅されてから映像表示部７によって表示される。音声信号は、音声回路８によって増幅され出力信号に変換されてから、スピーカ９で音声出力される。
【００２１】
ＣＰＵ５は、チューナ２、ＯＦＤＭデコーダ３およびＭＰＥＧデコーダ４の動作を制御するとともに、この発明に特有な系列局サーチ開始タイミングの判定を行う制御部５ａを機能構成として有する。制御部５ａは、従来と同様に、地上波デジタルテレビ放送波の受信状態が許容条件を満たさなくなった場合、系列局のサーチを開始するようチューナ２を制御する。ここで、許容条件とは、デジタルテレビ放送を支障なく視聴可能な程度を示す条件であり、デジタルテレビ放送を支障なく視聴可能な受信率の下限値に相当する。
また、制御部５ａは、ＧＰＳ（Ｇｌｏｂａｌ  Ｐｏｓｉｔｉｏｎｉｎｇ  Ｓｙｓｔｅｍ）受信機１０が受信したＧＰＳ情報および地図情報ＤＢ１１に記憶される地図情報に基づいて、現在受信中の放送の受信エリア内に移動体が存在すると判定された場合、上記受信状態が許容条件を満たさなくなった場合であっても、系列局のサーチを開始しないように制御する。
【００２２】
次に動作について説明する。
図６は、実施の形態１に係る系列局サーチ開始タイミング判定方法を示すフローチャートである。
まず、入力部を用いてユーザから放送局の周波数が設定されると、チューナ２は、アンテナ１で受信された地上波デジタルテレビ放送波のうち、ユーザから設定された周波数の信号を選局する（ステップＳＴ１）。チューナ２は、アンテナ１によって受信されたデジタル放送波信号をＩＦ信号に周波数変換する。ＩＦ信号は、ＯＦＤＭデコーダ３によってＯＦＤＭデコードされ、ＭＰＥＧデコーダ４によってＭＰＥＧデコードされる。
【００２３】
このとき、ＭＰＥＧデコーダ４は、選局されたデジタル放送波信号の受信率を監視する（ステップＳＴ２）。ここで、受信率とは、従来と同様に、例えば、デジタルテレビ放送を支障なく視聴可能な程度を示す数値であり、該当地域でデジタルテレビ放送を受信した際に、全体の時間に対して、映像、音声が途切れないでいる時間を示す割合などが挙げられる。
【００２４】
受信率が所定の閾値を超えている場合（ステップＳＴ３；ＮＯ）、ＭＰＥＧデコーダ４は、ステップＳＴ３に戻って上記判定を繰り返す。
一方、受信率が上記閾値以下となった場合（ステップＳＴ３；ＹＥＳ）、ＭＰＥＧデコーダ４は、受信率が上記閾値以下となった期間が一定期間継続したか否かを判定する（ステップＳＴ４）。このとき、一定期間経過する前に受信率が回復した場合（ステップＳＴ４；ＮＯ）、ステップＳＴ３に戻って上記判定を繰り返す。
【００２５】
受信率が上記閾値以下となった期間が一定期間継続した場合（ステップＳＴ４；ＹＥＳ）、ＭＰＥＧデコーダ４は、その旨をＣＰＵ５の制御部５ａに通知する。制御部５ａは、ＭＰＥＧデコーダ４から上記通知を受けると、ＧＰＳ受信機１０から移動体の現在の位置情報を取得する（ステップＳＴ５）。さらに、制御部５ａは、ＧＰＳ受信機１０から取得した現在位置情報に基づいて、地図情報ＤＢ１１から現在地周辺の地図情報とこれに含まれる現在地周辺の受信エリアを示す情報を取得する。
【００２６】
次に、制御部５ａは、移動体の現在の位置情報、現在地周辺の地図情報、およびこれに含まれる現在地周辺の受信エリアを示す情報に基づいて移動体が受信放送の受信エリア内にいるか否かを判定する（ステップＳＴ６）。
例えば、地図情報には、各放送局の受信エリアが緯度経度で判別可能な領域として規定されており、制御部５ａは、ＧＰＳ情報から得られる現在位置情報（緯度経度）を用いて受信エリア内であるか、他の受信エリア内であるかまたは異なる受信エリア間を跨ぐ状況にあるのかを判定することができる。
【００２７】
移動体が異なる受信エリア内へ移動した後である場合、すなわち、受信中の放送の受信エリア内にない場合（ステップＳＴ６；ＮＯ）、制御部５ａは、受信放送の系列局サーチを開始するよう、チューナ２を制御する。これにより、系列局サーチが自動的に開始される（ステップＳＴ８）。
一方、移動体が受信中の放送の受信エリア内にある場合（ステップＳＴ６；ＹＥＳ）、制御部５ａは、移動体の現在の位置情報、現在地周辺の地図情報、およびこれに含まれる現在地周辺の受信エリアを示す情報に基づいて、受信中の放送の受信エリア内であるが、他の受信エリアとの間を跨ぐトンネルなどを移動体が移動しているか否かを判定する（ステップＳＴ７）。
【００２８】
受信中の放送の受信エリア内であり、かつ受信エリア間を跨ぐトンネルなどを移動している場合（ステップＳＴ７；ＹＥＳ）、制御部５ａは、ステップＳＴ３の処理に戻って、上記処理を繰り返す。このようにすることで、受信環境が悪いトンネルで系列局サーチが開始されることを防止できる。
なお、移動体がトンネル内で移動先の受信エリア内に入った場合には、ステップＳＴ６で受信エリア外と判定され、制御部５ａは、受信放送の系列局サーチを直ちに開始するよう、チューナ２を制御する。これにより、系列局サーチが自動的に開始される（ステップＳＴ８）。
【００２９】
また、受信中の放送の受信エリア内であるが、上記トンネルなどから移動体が出た場合（ステップＳＴ７；ＮＯ）、ステップＳＴ６の処理に戻る。
この後、トンネルから移動体が出た時点で受信中の放送の受信エリア外にあると判定されれば（ステップＳＴ６；ＮＯ）、制御部５ａは、直ちに系列局サーチを開始するよう制御する。これにより、系列局サーチが自動的に開始される（ステップＳＴ８）。
【００３０】
例えば、図７に示す期間（１ａ）で、実施の形態１に係る移動体用受信装置が放送局Ａからの放送波を受信している。このとき、放送局Ａからの放送の受信率は高く、放送内容が視聴可能である。この後、移動体が移動して、期間（２ａ）において、図４に示したようなトンネルＴＡに入った場合、受信率が上記閾値以下となる。しかし、この発明では、移動体の現在の位置情報、現在地周辺の地図情報およびこれに含まれる現在地周辺の受信エリアを示す情報に基づいて、放送局Ａの受信エリア内のトンネルＴＡを移動していると判断されるため、系列局サーチが開始されない。これにより、図３で示したような受信が不可となる期間（３）が発生せず、移動体がトンネルＴＡを出た時点で、直ちに放送局Ａからの放送を受信再開することが可能である。
【００３１】
なお、地図情報ＤＢ１１の地図情報が特定の業者などによって更新される蓄積型の地図情報である場合、新しく開通した道路や施設などを容易に地図情報へ反映することができず、実際の受信環境と地図上の情報が異なる場合が考えられる。この場合、ＧＰＳ受信機１０から受信衛星数を取得して、これを用いて地図情報との差分を補間することにより、同様の効果を得ることができる。
【００３２】
以上のように、この実施の形態１によれば、放送の受信状態が許容条件を満たさなくなった場合においても、地図情報、地図情報に含まれる受信エリアを示す情報および移動体の位置情報に基づいて、移動体が受信放送の受信エリア内にあると判定された場合には、系列局のサーチを開始しないよう制御する制御部５ａを備える。
このようにすることで、受信中の放送の受信エリア内にあるにもかかわらず、系列局のサーチが開始され、トンネルのような受信環境の悪い場所から脱した時点で再受信することができなくなるような不具合を解消することができ、系列局サーチを適切に行うことができる。
【００３３】
また、この実施の形態１によれば、制御部５ａが、放送の受信状態が許容条件を満たさなくなった場合、地図情報、地図情報に含まれる受信エリアを示す情報、および移動体の位置情報に基づいて、移動体が受信放送の受信エリアから異なる放送局の受信エリアへ移動していると判定された場合、移動体が異なる放送局の受信エリアに移動した時点で系列局のサーチを開始するよう制御する。
このようにすることで、受信環境が悪いトンネルなどで系列局サーチが開始されることを防止でき、かつ、トンネルを抜けて他の受信エリアに出た時点で直ちに系列局サーチを開始することができる。
【００３４】
実施の形態２．
実施の形態２は、実施の形態１と同様に、受信エリアを示す情報が含む地図情報を使用するが、地図情報にトンネルや地下駐車場などの詳細な情報がない場合を想定している。すなわち、この実施の形態２では、トンネルや地下駐車場などの放送波を遮蔽する空間では、遮蔽物によって光が遮断されて車室内が暗くなることを利用し、照度計と時刻によってトンネルや地下駐車場などに車両が存在するか否かを判定する。
【００３５】
図８は、この発明の実施の形態２に係る移動体用受信装置の構成を示すブロック図であり、車両などの移動体に搭載されて、地上波デジタルテレビ放送波を受信する受信装置を示している。図８に示すように、実施の形態２に係る移動体用受信装置は、アンテナ１、チューナ２、ＯＦＤＭデコーダ３、ＭＰＥＧデコーダ４、ＣＰＵ５、映像回路６、映像表示部７、音声回路８、スピーカ９、ＧＰＳ受信機１０、地図情報ＤＢ１１、照度計１２、および時計１３を備えて構成される。
【００３６】
照度計１２は、移動体内の照度を計測するセンサであり、例えば車室内の照度を計測する。また、時計１３は、現在時刻を計時する時計である。なお、ＧＰＳ受信機１０からのＧＰＳ情報から時刻情報を取得する場合には、時計１３を省略することも可能である。
制御部５Ａは、放送の受信状態が許容条件を満たさなくなった場合、地図情報、地図情報に含まれる受信エリアを示す情報、移動体の位置情報、および、照度計１２が計測した移動体内の照度情報に基づいて、移動体が受信放送の受信エリア内であり、かつ移動体内の照度が閾値以下である場合には、系列局のサーチを開始しないよう制御する。
なお、図８において、図５と同一構成要素には同一符号を付して説明を省略する。
【００３７】
次に動作について説明する。
図９は、実施の形態２に係る系列局サーチ開始タイミング判定方法を示すフローチャートである。図９におけるステップＳＴ１ａからステップＳＴ５ａまでの処理は、図６に示したステップＳＴ１からステップＳＴ５までと同様であるので説明を省略する。
移動体が異なる受信エリア内へ移動した後である場合、すなわち、受信中の放送の受信エリア内にない場合（ステップＳＴ６ａ；ＮＯ）、制御部５Ａは、受信放送の系列局サーチを開始するよう、チューナ２を制御する。これにより、系列局サーチが自動的に開始される（ステップＳＴ１１ａ）。一方、移動体が受信中の放送の受信エリア内にある場合（ステップＳＴ６ａ；ＹＥＳ）、制御部５Ａは、照度計１２から移動体内の照度情報を取得する（ステップＳＴ７ａ）。
【００３８】
この後、制御部５Ａは、照度計１２から取得した移動体内の照度情報が所定の閾値以下であるか否かを判定する（ステップＳＴ８ａ）。
移動体内の照度情報が所定の閾値を超えている場合（ステップＳＴ８ａ；ＮＯ）、制御部５Ａは、受信中の放送の受信エリア内に移動体は存在するが、長いトンネルや地下駐車場のような遮蔽空間には存在せず、何らかの一過性の受信状態の悪化であると判断して、ステップＳＴ３ａの処理に戻って上記処理を繰り返す。
【００３９】
一方、移動体内の照度情報が上記閾値以下である場合（ステップＳＴ８ａ；ＹＥＳ）、制御部５Ａは、時計１３から現在の時刻情報を取得し（ステップＳＴ９ａ）、現在が夜間であるか否かを判定する（ステップＳＴ１０ａ）。
ここで、夜間であれば（ステップＳＴ１０ａ；ＹＥＳ）、制御部５Ａは、受信中の放送の受信エリア内に移動体は存在するが、長いトンネルや地下駐車場のような遮蔽空間には存在せず、何らかの一過性の受信状態の悪化であると判断して、ステップＳＴ３ａの処理に戻って上記処理を繰り返す。このようにすることで、夜間で照度が低下したことと、トンネルや地下駐車場に存在して照度が低下したこととを混同する弊害を防止できる。
【００４０】
夜間でなければ（ステップＳＴ１０ａ；ＮＯ）、制御部５Ａは、移動体がトンネルなどの遮蔽空間を移動していると判断し、ステップＳＴ６ａの処理に戻って、上記処理を繰り返す。このようにすることで、受信環境が悪いトンネルで系列局サーチが開始されることを防止できる。なお、移動体がトンネル内で移動先の受信エリア内に入った場合には、ステップＳＴ６ａで受信エリア外と判定され、制御部５Ａは、系列局サーチを直ちに開始するよう、チューナ２を制御する。これにより、系列局サーチが自動的に開始される（ステップＳＴ１１ａ）。
【００４１】
以上のように、この実施の形態２によれば、制御部５Ａが、放送の受信状態が許容条件を満たさなくなった場合、地図情報、地図情報に含まれる受信エリアを示す情報、移動体の位置情報および移動体内の照度情報に基づいて、移動体が受信放送の受信エリア内でありかつ移動体内の照度が閾値以下である場合には、系列局のサーチを開始しないよう制御する。このようにすることで、受信中の放送の受信エリア内にあるにもかかわらず、系列局のサーチが開始されて、トンネルのような受信環境の悪い場所から脱した時点で再受信することができなくなるような不具合を解消することができ、系列局サーチを適切に行うことができる。
【００４２】
また、この実施の形態２によれば、制御部５Ａが、放送の受信状態が許容条件を満たさなくなった場合、移動体が受信放送の受信エリアから異なる放送局の受信エリアへ移動しているか、もしくは、移動体が受信放送の受信エリアから異なる放送局の受信エリアへ移動しており、かつ時刻が夜間である場合には、移動体が異なる放送局の受信エリアに移動した時点で系列局のサーチを開始するよう制御する。このようにすることで、夜間で照度が低下したことと、トンネルや地下駐車場に存在して照度が低下したこととを混同する弊害を防止できる。また、受信環境が悪いトンネルなどで系列局サーチが開始されることを防止でき、かつトンネルを抜けて他の受信エリアに出た時点で直ちに系列局サーチを開始することができる。
【００４３】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４４】
１  アンテナ、２  チューナ、３  ＯＦＤＭデコーダ、４  ＭＰＥＧデコーダ、５  ＣＰＵ、５ａ，５Ａ  制御部、６  映像回路、７  映像表示部、８  音声回路、９  スピーカ、１０  ＧＰＳ受信機、１１  地図情報ＤＢ、１２  照度計、１３  時計。
【図１】
2014183457.tif 000003
【図２】
2014183457.tif 000004
【図３】
2014183457.tif 000005
【図４】
2014183457.tif 000006
【図５】
2014183457.tif 000007
【図６】
2014183457.tif 000008
【図７】
2014183457.tif 000009
【図８】
2014183457.tif 000010
【図９】
2014183457.tif 000011